【手続補正書】
【提出日】平成16年4月22日(2004.4.22)
【手続補正１】
【補正対象書類名】明細書
【補正対象項目名】全文
【補正方法】変更
【補正の内容】
【発明の名称】電気掃除機用床吸込具
【特許請求の範囲】
【請求項１】上部材と下部材からなる吸込具と、吸込具前方に下方開口のブラシ室と、前記ブラシ室内に回転自在に設置された回転ブラシと、前記吸込具の略中央に分けて設けられた吸込室およびタービン室Ｂと、タービン室Ｂ内に設けられ回転ブラシの駆動源となるタービンと、前記吸込室とブラシ室を連通する吸込口Ａと、ブラシ室以外より外気を取り入れる吸込口Ｂと、吸込口Ｂとタービン室Ｂを連通してタービンを駆動させる流入風を取り入れる駆動風流路を設け、前記駆動風流路の流路断面積を調節する風量調節手段を設けた電気掃除機用床吸込具。
【請求項２】風量調節手段を板状体として、前記板状体の表面を低摩擦性の材質にて形成した請求項１記載の電気掃除機用床吸込具。
【請求項３】駆動風流路の上面および左右いずれかの側面に吸音室を設け、前記吸音室内に吸音材を配した請求項１または２記載の電気掃除機用床吸込具。
【請求項４】上部材と下部材からなる吸込具と、吸込具前方に下方開口のブラシ室と、上部材の左右両端部上面に外気と連通する吸込口Ｃと、吸込口Ｃとブラシ室を連通するジェット風流路と、ブラシ室内に回転自在に設置された回転ブラシと、吸込具後方に上部材と下部材に挟持され上下に回動自在に設けられた回転パイプと、吸込具後方の一側に設けたタービン室Ａと、回転パイプ内を略中央に分けて設けられた吸込室とタービン室Ｂと、タービン室Ｂ内に設けられた回転ブラシ駆動源のタービンと、タービンと回転ブラシを張架するベルトと、吸込室とブラシ室を連通する吸込口Ａと、吸込口Ａより後方に配され外気と連通する漏洩孔と、ブラシ室以外より外気を取り入れる吸込口Ｂと、吸込口Ｂとタービン室を連通してタービンを駆動させる流入風を取り入れる駆動風流路を設けた電気掃除機用床吸込具。
【請求項５】吸込室と部屋を連通し回転パイプに設けられた連通孔Ａと、ブラシ室と部屋を連通しジェット風流路近傍に設けられた連通孔Ｂを設けた請求項４記載の電気掃除機用床吸込具。
【発明の詳細な説明】
【０００１】
【発明の属する技術分野】
本発明は、一般家庭で使用される電気掃除機用床吸込具に関するものである。
【０００２】
【従来の技術】
従来の電気掃除機用床吸込具を、図２０〜２６を用いて説明する。
【０００３】
１は上部材２と下部材３をバンパー４を介し、上部材２に中部材２ａを設けて得た吸込具で、吸込具１の前方に下方開口のブラシ室５と、ブラシ室５内に回転自在に設置された回転ブラシ６が設けられており、回転ブラシ６の一方の端部には大プーリー７が構成されている。また、上部材２の左右両端部上面には外気と連通する吸込口Ｃ８が前方開放に設けられ、吸込口Ｃ８とブラシ室５を連通するジェット風流路９が設けられている。
【０００４】
吸込具１後方に上部材２と下部材３に挟持され上下に回動自在に設けられた回転パイプ１０、回転パイプ１０後方の開口部には回転自在に設けられ、掃除機本体（図示せず）の吸引側に接続される接続パイプ１１があり、更に回転パイプ１０により吸込具１後方部は左右に分割され、それぞれタービン室Ａ１２と部屋１３として設けられている。また、回転パイプ１０内は略中央に分けられ、吸込室１４とタービン室Ｂ１５が構成されている。
【０００５】
タービン室Ｂ１５内には、回転ブラシ６を駆動させる動力源のタービン１６が設置され、タービン１６の回転中心に圧入固定されたタービン軸１７があり、タービン軸１７のタービン１６と反対側には小プーリー１８が設けられている。また、タービン軸１７はタービン軸受１９に挿入され回転自在に構成され、タービン軸受１９はタービン室Ａ１２にて上部材２と下部材３とで挟持されている。
【０００６】
吸込室１４とブラシ室５を吸込口Ａ２１で連通するように設け、またブラシ室５以外より外気と連通した吸込口Ｂ２２と、吸込口Ｂ２２とタービン室Ｂ１５を連通してタービン１６を駆動させる流入風を取り入れる駆動風流路２３が下部材３と中部材２ａとの間に設けられている。更に、小プーリー１８は大プーリー７とベルト２０により張架されており、ベルト２０を介してタービン１６の駆動力を回転ブラシ６に伝達している。
【０００７】
下部材３には、ブラシ室５より後方に位置し、下方開口でタービン室Ｂ１５に連通させる吸込口Ｄ２４が設けられている。
【０００８】
上記構成において、掃除機本体（図示せず）の運転により吸引風ａが発生されたとき、接続パイプ１１を介して、吸込具１の各吸込口部に流入風が発生する。
【０００９】
まず、吸込具１を被掃除面に置いたとき、吸込具１の周りに吸塵風ｂが発生する。また、吸込口Ｃ８にジェット風ｃも発生する。なお、吸込口Ｄ２４は、被掃除面が絨毯などで密閉された場合には流入風は発生しないが、床面などの場合、若干だが停止風ｄが発生する。また、吸込口Ｂ２２からは駆動風流路２３を介して駆動風ｅが発生する。
【００１０】
各々の流入風の効果は、次の通りである。
【００１１】
駆動風ｅは、駆動風流路２３を通過し、タービン室Ｂ１５に至り、タービン１６を駆動させ、ベルト２０を介して回転ブラシ６を回転させることで、絨毯上などの塵埃をかき揚げる。
【００１２】
吸塵風ｂは、吸込具１周囲にある軽い綿ゴミなどの塵埃をブラシ室５に運び込み、回転ブラシ６により確実に集塵し、吸込口Ａ２１より集塵される。
【００１３】
ジェット風ｃは、ジェット風流路９を介してブラシ室５に至り、吸塵風ｂにより、側面から流入する塵埃を素早くブラシ室５中央に送り込み、塵埃を取り逃がすことなく、集塵させるためのものである。
【００１４】
この吸塵風ｂとジェット風ｃは、集塵風ｆとして吸込口Ａ２１を介して、掃除機本体（図示せず）に吸引される。
【００１５】
停止風ｄは、床や畳などで吸込具１を操作したときに発生し、タービン６を逆回転させる流入風となり、回転ブラシ６が無負荷状態のために絨毯上より回転数が高くなるのを防ぎ、低騒音化を図る、制動用流入風である。
【００１６】
なお、タービンの回転音が使用時の騒音値に大きく影響するが、この場合では、回転音は駆動風流路２３を通して外気中に放出されるものと、接続パイプ１１より掃除機本体（図示せず）に吸引されるものがある。
【００１７】
次に、吸込具１を空中に上げたとき、集塵用の流入風は全く意味の無いものになるが、駆動風ｅにより回転ブラシ６は回転状態にある。空中上での低騒音化を図るために、停止風ｄによりタービン１６を逆回転をさせようとする流入風を当てることで、回転ブラシ６の回転数を下げることを行っている。
【００１８】
以上より、各流入風の関係は次の式で表される。
（吸引風ａ）＝（集塵風ｆ）＋（駆動風ｅ）＋（停止風ｄ）
（集塵風ｆ）＝（吸塵風ｂ）＋（ジェット風ｃ）
また、使用中において誤って吸込口Ａ２１付近に新聞紙や大きなビニール袋が付着した際には、吸込口Ａ２１と吸込口Ｄ２４を密閉されることがある。これにより各流入風が滞るために、上記式において（集塵風ｆ）＝（停止風ｄ）＝０となり、
（吸引風ａ）＝（駆動風ｅ）の関係式が導かれることが判る。つまり、駆動風ｅが、集塵風ｆと停止風ｄが無くなった分だけ強まることになる。これにより、タービン１６をより強力に回転させることが可能になるため、タービン１６は異常な高回転をすることになる。
【００１９】
【発明が解決しようとする課題】
従来の電気掃除機用床吸込具にあっては、近年の掃除機本体の高仕事率化に伴い、吸引風が増加した。この吸引風を駆動源とするタービン式吸込具では異常に高回転するため、タービンが破壊されたり、回転部品が劣化することがあった。また、タービンが過回転することで使用時の騒音値が上昇し、使用者に不快感を与える問題があった。
【００２０】
本発明は、以上のような従来の問題を解決しようとするものであって、仕事率が上昇しても風量を調節することでタービンの回転数が上昇することを防ぎ、タービン等の破壊、劣化を防止し、かつタービンの回転音を下げることによる低騒音化を行い、かつ簡単な構成により最小限のコストをかけることで多用な電気掃除機本体の吸込能力に対応し得る電気掃除機用床吸込具を提供することを目的としている。
【００２１】
【課題を解決するための手段】
上記問題を解決するために本発明は、ブラシ室以外より外気と連通した吸込口Ｂと、吸込口Ｂとタービン室Ｂを連通しタービンを駆動させる流入風を取り入れる駆動風流路内に、駆動風流路の流路断面積を調節する風量調節手段を設ける事で、タービン室Ｂに流入する駆動風ｋの流量を最適にし、タービンの回転数上昇を抑制出来るものである。この構成から、タービンが異常な高回転することを防ぐため、回転部品の劣化や破壊の防止、タービンの回転音を低減する事で騒音値の低減が出来、かつ簡単な構成で多用な電気掃除機本体の吸込能力に対応し得るものである。
【００２２】
【発明の実施の形態】
本発明の請求項１記載の発明は、上部材と下部材からなる吸込具と、吸込具前方に下方開口のブラシ室と、前記ブラシ室内に回転自在に設置された回転ブラシと、前記吸込具の略中央に分けて設けられた吸込室およびタービン室Ｂと、タービン室Ｂ内に設けられ回転ブラシの駆動源となるタービンと、前記吸込室とブラシ室を連通する吸込口Ａと、ブラシ室以外より外気を取り入れる吸込口Ｂと、吸込口Ｂとタービン室Ｂを連通してタービンを駆動させる流入風を取り入れる駆動風流路を設け、前記駆動風流路の流路断面積を調節する風量調節手段を設けた。これにより、駆動風流路の開口面積が調節することが行えるために、駆動風ｋの流量を最適にすることでタービンの回転数を最適にすることが行え、タービン音を低減させることも自由に実施出来るために騒音値の低減ができる。また、簡単な構成や最小限のコストをかけることで多用な電気掃除機本体の吸込能力に対応し得る安価なタービン式吸込具本体を提供できるものである。
【００２３】
本発明の請求項２記載の発明は、風量調節手段を板状体として、前記板状体の表面を低摩擦性の材質にて形成したので、駆動風流路内に塵埃が侵入したときに板状体の表面付近に塵埃が接近したときに、塵埃の付着を防ぐことができる。例えば、板状体の表面に塵埃が付着しやすいとき、塵埃が次々に板状体に付着することで駆動風流路が塵埃にて閉塞されてることが発生する。これにより駆動風ｋが弱まりタービンが低回転になり、吸込具本体の集塵能力を低下させる。本発明は、この問題を解決し、かつタービンの回転数上昇を抑制が行え、タービン音を低減させることにより騒音値の低減ができるものである。
【００２４】
本発明の請求項３記載の発明は、駆動風流路の上面および左右いずれかの側面に吸音室を設け、前記吸音室内に吸音材を配したので、タービン室Ｂで発生したタービン音が駆動風流路を経由して吸込口Ｂに至る間に、吸音室にタービン音が入り吸音材に吸収されるために吸込具の操作時の低騒音化ができる。
【００２５】
本発明の請求項４記載の発明は、上部材と下部材からなる吸込具と、吸込具前方に下方開口のブラシ室と、上部材の左右両端部上面に外気と連通する吸込口Ｃと、吸込口Ｃとブラシ室を連通するジェット風流路と、ブラシ室内に回転自在に設置された回転ブラシと、吸込具後方に上部材と下部材に挟持され上下に回動自在に設けられた回転パイプと、吸込具後方の一側に設けたタービン室Ａと、回転パイプ内を略中央に分けて設けられた吸込室とタービン室Ｂと、タービン室Ｂ内に設けられた回転ブラシ駆動源のタービンと、タービンと回転ブラシを張架するベルトと、吸込室とブラシ室を連通する吸込口Ａと、吸込口Ａより後方に配され外気と連通する漏洩孔と、ブラシ室以外より外気を取り入れる吸込口Ｂと、吸込口Ｂとタービン室を連通してタービンを駆動させる流入風を取り入れる駆動風流路を設けたので、吸込具の吸込口Ａと吸込口Ｄが閉息されたときに外気と連通された漏らし穴があるために駆動風ｋ以外の流路が確保される。これにより、タービンの異常回転を防ぎ、タービンの破壊を防止することができる。
【００２６】
本発明の請求項５記載の発明は、吸込室と部屋を連通し回転パイプに設けられた連通孔Ａと、ブラシ室と部屋を連通しジェット風流路近傍に設けられた連通孔Ｂを設けたので、吸込具の吸込口Ａと吸込口Ｄが閉息されたときに外気と連通された漏らし孔があるために駆動風ｋ以外の流路が確保されると共に、ジェット風流路近傍に設けた連通孔Ｂからの流入風により吸込具２５の側面および上面からの吸塵風ｈとジェット風ｉの流速が速まる。以上のことから、タービンの異常回転を防ぎ、タービンの破壊を防止し、吸込具の集塵性能を向上させることができる。
【００２７】
【実施例】
（実施例１）
以下、本発明の第１の実施例を、図１〜図７を用いて説明する。
【００２８】
２５は上部材２６と下部材２７をバンパー２８を介し、上部材２６に中部材２６ａを設けて得た吸込具で、吸込具２５前方に下方開口のブラシ室２９と、ブラシ室２９内に回転自在に設置された回転ブラシ３０が設けられており、回転ブラシ３０の一方の端部には大プーリー３１が構成されている。また、上部材２６の左右両端部上面には外気と連通する吸込口Ｃ３２が前方開放に設けられ、吸込口Ｃ３２とブラシ室２９を連通するジェット風流路３３が設けられている。
【００２９】
吸込具２５後方に上部材２６と下部材２７に挟持され上下に回動自在に設けられた回転パイプ３４、回転パイプ３４後方の開口部には回転自在に設けられ、掃除機本体（図示せず）の吸引側に接続される接続パイプ３５があり、更に回転パイプ３４により吸込具２５後方部は左右に分割され、それぞれタービン室Ａ３６と部屋３７として設けられている。また、回転パイプ３４内は略中央に分けられ、吸込室３８とタービン室Ｂ３９が構成されている。
【００３０】
タービン室Ｂ３９内には、回転ブラシ３０を駆動する動力源のタービン４０が設置され、タービン４０の回転中心に圧入固定されたタービン軸４１があり、タービン軸４１のタービン４０と反対側には小プーリー４２が設けられている。また、タービン軸４１はタービン軸受４３に挿入され回転自在に構成され、タービン軸受４３はタービン室Ａ３６にて上部材２６と下部材２７とで挟持されている。
【００３１】
吸込室３８とブラシ室２９を吸込口Ａ４５で連通するように設け、またブラシ室２９以外より外気と連通した吸込口Ｂ４６と、吸込口Ｂ４６とタービン室Ｂ３９を連通してタービン４０を駆動させる流入風を取り入れる駆動風流路４７が下部材２７と中部材２６ａとの間に設けられている。また、中部材２６ａの駆動風流路４７出口近傍を構成する壁体５０には、この出口近傍の開口面積を調節する風量調整手段４９が設けられている。更に、小プーリー４２は大プーリー３１とベルト４４により張架されており、ベルト４４を介してタービン４０の駆動力を回転ブラシ３０に伝達している。
【００３２】
下部吸込具２７には、ブラシ室２９より後方に位置し、下方開口でタービン室Ｂ３９に連通させる吸込口Ｄ４８が設けられている。
【００３３】
上記構成による作用は以下の通りである。
【００３４】
掃除機本体（図示せず）より吸引風ｇが発生されたとき、接続パイプ３５を介して、吸込具２５の各吸込口部に流入風が発生する。
【００３５】
まず、吸込具２５を各被掃除面に置いたとき、吸込具２５の周りに吸塵風ｈが発生する。また、吸込口Ｃ３２にジェット風ｉも発生する。なお、吸込口Ｄ４８は、被掃除面が絨毯など密閉された場合には流入風は発生しないが、床面などの場合、若干だが停止風ｊが発生する。また、吸込口Ｂ４６からは駆動風流路４７を介して駆動風ｋが発生する。
【００３６】
各々の流入風の効果は、次の通りである。
【００３７】
駆動風ｋは、駆動風流路４７を通過し、タービン室Ｂ３９に至るが、この際に風量調節手段４９により駆動風流路４７の開口面積が調整されるために駆動風ｋの風量を調節できるため、従来の技術で挙げた駆動風ｅの流量とは異ならせることが出来る。
【００３８】
例えば、電気掃除機本体の吸込能力が高めなら、タービン４０が異常な高回転をすることを防ぐために、
（駆動風ｋ）＜（駆動風ｅ）になるように風量調節手段４９により、開口面積を狭める。また、電気掃除機本体の吸込能力が低めなら、タービン４０が集塵性のが十分に維持できる回転を得るために、
（駆動風ｋ）＞（駆動風ｅ）になるように風量調節手段４９により、開口面積を広める。
【００３９】
以上のように電気掃除機本体の吸込能力に応じた最適な駆動風流路４７の開口面積を簡単に設定できるため、最低限のコストを投資することで対応できる物である。また、調節した駆動風ｋの風量により、最適な回転数でタービン４０を駆動させることで、タービン４０の異常な高回転する事を防ぐために回転部品の消耗を防ぐので耐久性も優れ、タービン４０の回転したときに発生するタービン音を抑制することで操作時の騒音値が低い吸込具が提供できる。
【００４０】
また、タービン４０が駆動することで、ベルト４４を介して回転ブラシ３０を回転させることで、絨毯上などの塵埃をかき揚げる。
【００４１】
以下、他の流入風について記載する。
【００４２】
吸塵風ｈは、吸込具２５周囲にある軽い綿ゴミなどの塵埃をブラシ室２９に運び込み、回転ブラシ３０により確実に集塵し、吸込口Ａ４５より集塵される。
【００４３】
ジェット風ｉは、ジェット風流路３３を介してブラシ室２９に至り、吸塵風ｈにより、側面から流入する塵埃をより素早くブラシ室２９中央に送り込み、塵埃を取り逃がすことなく、集塵出来るようになる。
【００４４】
この吸塵風ｈとジェット風ｉは、集塵風ｍとして吸込口Ａ４５を介して、掃除機本体（図示せず）に吸引される。これらは次の関係式で表される。
【００４５】
（集塵風ｍ）＝（吸塵風ｈ）＋（ジェット風ｉ）
停止風ｊは、床や畳などで吸込具２５を操作したときに発生し、タービン３０を逆回転させる流入風となり、回転ブラシ３０が無負荷状態のために絨毯上より回転数が高くなるのを防ぎ、低騒音化を図る制動用流入風である。
【００４６】
次に、吸込具２５を空中に上げたとき、集塵用の流入風は全く意味の無いものになるが、駆動風ｋにより回転ブラシ３０は回転状態にある。空中上での低騒音化を図るために、停止風ｊによりタービン４０に逆回転をさせる流入風を当てることで、回転ブラシ３０の回転数を下げることを行っている。
【００４７】
以上より、各流入風の関係は次の式で表される。
（吸引風ｇ）＝（集塵風ｍ）＋（駆動風ｋ）＋（停止風ｊ）となる。
【００４８】
なお、（駆動風ｋ）＜（駆動風ｅ）の関係式が成立してる場合には、駆動風ｋが減少した分だけ、他の各風量は増加する。
【００４９】
例えば、被掃除面に吸込具２５をおいて清掃作業しているときに、吸込口Ｄ４８が被掃除面との間で密閉されるために、（停止風ｊ）＝０となる。これは従来の技術の吸込具１でも同様のことがいえる。ただし、集塵風ｍは駆動風ｋが減少した分だけ増加するために、集塵性能が向上する事が判る。
【００５０】
以上から、（駆動風ｋ）＜（駆動風ｅ）の関係式が成立してる場合には、集塵性が従来より優れ、かつ回転部品の消耗を防ぐので耐久性も優れ、タービン４０の回転したときに発生するタービン音を抑制することで操作時の騒音値が低い吸込具が提供できる。
【００５１】
（実施例２）
次に本発明の第２の実施例を図８を用いて説明する。なお上記実施例と同一構成部品については同一符号を付して、その説明を省略する。
【００５２】
駆動風流路４７を形成する中部材２６ａの壁５０に、風量調節手段４９として板状体４９ａを用い、板状体４９ａの表面が低摩擦性であるポロンのような材質によって構成されている。
【００５３】
上記構成による作用は以下の通りである。
【００５４】
板状体４９ａの表面を低摩擦性のものにすることで、吸込口Ｂ４６から侵入する塵埃がスムーズに流れることになる。例えば、板状体４９ａの表面が布織布などで構成された場合、吸込口Ｂ４６から侵入した塵埃が板状体４９ａに付着し、次々に塵埃が通過すると付着した塵埃が成長し、駆動風流路４７を塞ぎタービン４０の回転を阻害する事になる。よって、表面を低摩耗性の材質にする事で、板状体４９ａに塵埃を付着させないようにする事で駆動風ｋをスムーズに流し、タービン４０の回転数を安定させるものである。
【００５５】
（実施例３）
次に本発明の第３の実施例を図９〜図１０を用いて説明する。なお上記実施例と同一構成部品については同一符号を付して、その説明を省略する。
【００５６】
タービン室３９上部に位置し、かつ駆動風流路４７に開口部を形成し、上部材２６と中部材２６ａに囲まれる吸音室５４と吸込口Ｂ４６の近傍に開口部５８を形成し、上部材２６と中部材２６ａに囲まれる吸音室５６が設けられ、各吸音室５４・５６内には各吸音材５５・５７が設置するように構成されている。
【００５７】
上記構成による作用は以下の通りである。
【００５８】
タービン４０が回転することで、タービン室３９内のタービン音は、接続パイプ３５内を通過して掃除機本体（図示せず）内に吸収されるものと、駆動風流路４７を介して吸込口Ｂ４６より放出されるものがある。
【００５９】
駆動風流路４７をタービン音が通過するとき、駆動風流路４７の内部に開口部５８を持つ吸音室５４にタービン音が入り込み吸音材５５にて吸音される。それでもなお通過するタービン音は、吸込口Ｂ４６に至るときに吸込口Ｂ４６近傍に開口部を持つ吸音室５６に入り込み、同様に吸音材５７にて吸音される。
【００６０】
このように、タービン音は吸音されることで、吸込口Ｂ４６より放出されるタービン音を減少させて、使用時の騒音値を下げることになる。
【００６１】
（実施例４）
次に本発明の第４の実施例を図１１〜１６を用いて説明する。
【００６２】
２５は上部材２６と下部材２７をバンパー２８を介し、上部材２６に中部材２６ａを設けて得た吸込具で、吸込具２５前方に下方開口のブラシ室２９と、ブラシ室２９内に回転自在に設置された回転ブラシ３０が設けられており、回転ブラシ３０の左右どちらかの端部には大プーリー３１が構成されている。また、上部材２６の左右両端部上面には外気と連通する吸込口Ｃ３２が前方開放に設けられ、吸込口Ｃ３２とブラシ室２９を連通するジェット風流路３３が設けられている。
【００６３】
吸込具２５後方に上部材２６と下部材２７に挟持され上下に回動自在に設けられた回転パイプ３４、回転パイプ３４後方の開口部には回転自在に設けられ、掃除機本体（図示せず）の吸引側に接続される接続パイプ３５があり、更に回転パイプ３４により吸込具２５後方部は左右に分割され、それぞれタービン室Ａ３６と部屋３７として設けられている。また、回転パイプ３４内は略中央に分けられ、吸込室３８とタービン室Ｂ３９が構成されている。
【００６４】
タービン室Ｂ３９内には、回転ブラシ３０を駆動させる動力源のタービン４０が設置され、タービン４０の回転中心に圧入固定されたタービン軸４１があり、タービン軸４１のタービン４０と反対側には小プーリー４２が設けられている。
【００６５】
また、タービン軸４１はタービン軸受４３に挿入され回転自在に構成され、タービン軸受４３はタービン室Ａ３６にて上部材２６と下部材２７とで挟持されている。
【００６６】
吸込室３８とブラシ室２９を吸込口Ａ４５で連通するように設け、吸込口Ａ４５より後方に外気と連通させるために回転パイプ３４上に漏洩孔５１を設けた。なお、図１３〜１４にあるように回転パイプ３４の吸込室３８側の壁に部屋３７と連通する連通孔５２を設け、外気と部屋３７を連通させる上部材２６に設けた漏洩孔５１と連通孔Ａ５２とを連通させることでも同様の構成が得られる。
【００６７】
また、ブラシ室２９以外より外気と連通した吸込口Ｂ４６と、吸込口Ｂ４６とタービン室Ｂ３９を連通してタービン４０を駆動させる流入風を取り入れる駆動風流路４７が下部材２７と中部材２６ａとの間に設けられている。更に、小プーリー４２は大プーリー３１とベルト４４により張架されており、ベルト４４を介してタービン４０の駆動力を回転ブラシ３０に伝達している。
【００６８】
下部吸込具２７には、ブラシ室２９より後方に位置し、下方開口でタービン室Ｂ３９に連通させる吸込口Ｄ４８が設けられている。
【００６９】
上記構成による作用は以下の通りである。
【００７０】
従来の技術の中で吸込具１での、吸込口Ａ２１と吸込口Ｄ２４が閉塞されたときの作用を述べたが、再度関係式を下記に記載する。
【００７１】
（吸引風ａ）＝（集塵風ｆ）＋（駆動風ｅ）＋（停止風ｄ）吸込口Ａ２１と吸込口Ｄ２４が閉塞されているため、
（集塵風ｆ）＝（停止風ｄ）＝０となり、
（吸引風ａ）＝（駆動風ｅ）
このとき、タービン１６が異常な高回転することを述べたが、高い吸込能力を持った掃除機本体で使用されたときに上記の各吸込口を閉塞されたとき、予想を越えたタービン１６の異常回転が発生し、破壊する恐れがあった。
【００７２】
ここで、本実施例により外気と連通した漏洩孔５１により、吸込口Ａ４５が閉塞されても回転パイプ３４内に流入風が発生する。この流入風は漏洩風ｎとなり、上記関係式に加わり、次のように表される。
【００７３】
＜吸込口Ａ４５と吸込口Ｄ４８が密閉されている時＞
（吸引風ｇ）＝（駆動風ｋ）＋（漏洩風ｎ）
漏洩風ｎが加わったことで、駆動風ｋが減少し、タービン４０の異常回転を抑制することができる。また、
＜吸込口Ａ４５と吸込口Ｄ４８が開放されている時＞
（吸引風ｇ）＝（集塵風ｍ）＋（駆動風ｋ）＋（停止風ｊ）＋（漏洩風ｎ）
上記式に示されるように、漏洩風ｎ分だけ開放時の各流入風が減少したことにより、タービン４０の回転数が減速できる。また、タービン４０の回転数に伴い回転ブラシ３０の回転数も減速されることが判る。
【００７４】
これらから、タービン４０が減速したことによってタービン音が低くなる事で操作時の騒音値を下げられることや、吸込具２５が高仕事率の掃除機本体で使用されたときに、吸込口Ａ４５と吸込口Ｄ４８を閉塞されたときにタービン４０が異常回転を起こしても、タービン４０の破壊や異常な回転部品の消耗を防ぐことで耐久性が優れた吸込具が提供できる。
【００７５】
（実施例５）
次に本発明の第５の実施例を図１７〜図１９を用いて説明する。なお上記実施例と同一構成部品については同一符号を付して、その説明を省略する。
【００７６】
回転パイプ３４の吸込室３８側の壁に部屋３７と連通する連通孔Ａ５２を設け、ジェット風流路３３と部屋３７を連通させる連通孔Ｂ５３と連通孔Ａ５２とを連通させる。
【００７７】
上記構成による作用は以下の通りである。
【００７８】
前記実施例のように吸込具２５の吸込口Ａ４５と吸込口Ｄ４８が閉塞されたときの各流入風は、次のような関係式で表される。
基本の関係式（第１の実施例より）は、
（吸引風ｇ）＝（集塵風ｍ）＋（駆動風ｋ）＋（停止風ｊ）
（集塵風ｍ）＝（吸塵風ｈ）＋（ジェット風ｉ）
吸込口Ａ４５と吸込口Ｄ４８が閉塞されることで、
（集塵風ｍ）＝（停止風ｊ）＝０になるのだが、ジェット風流路３３は連通孔Ｂ５３より、連通孔Ａ５２に通じることで吸込室３８に連通されるため、流路として確保がされている。これにより、吸込口Ａ４５と吸込口Ｄ４８が閉塞されても、ジェット風ｉは流路が確保されていることで流量があり、漏洩風として考えることもできる。これより、
（吸塵風ｈ）＝（停止風ｊ）＝０
（集塵風ｍ）＝（ジェット風ｉ）＝（漏洩風）
以上より、
（吸引風ｇ）＝（ジェット風ｉ）＋（駆動風ｋ）
ジェット風ｉが確保されるために駆動風ｋが減少し、タービン４０の異常回転を抑制することができる。また、吸込口Ａ４５と吸込口Ｄ４８が開放されている時には、ジェット風流路３３が吸込口Ａ４５と連通孔Ａ５２・Ｂ５３の２箇所で吸込室３８に連通していることにより、吸込口Ａ４５のみで連通しているときよりジェット風ｉがより大きい流量およびより速い流速が得られることは判る。これから、ジェット風ｉが流量および流速において増大することで吸込具２５側面および上面からの流入風を強めるために、ジェット風ｉの効果がより強力に働き、ジェット風流路３３を介してブラシ室５に至り、吸塵風ｈにより、側面から流入する塵埃を素早くブラシ室５中央に送り込み、塵埃を取り逃がすことなく、高集塵性能を実現できる。更にジェット風ｉが増加した分を漏洩風と考えることが出来るので、開放時の駆動風ｋの流量が減少したことにより、タービン４０の回転数が減速できる。また、タービン４０の回転数に伴い回転ブラシ３０の回転数も減速されることが判る。
【００７９】
これらから、タービン４０が減速したことによってタービン音が低くなる事で操作時の騒音値を下げられることや、吸込具２５が高仕事率の掃除機本体で使用されたときに、吸込口Ａ４５と吸込口Ｄ４８を閉塞されたときにタービン４０が異常回転を起こしても、タービン４０の破壊や異常な回転部品の消耗を防ぐことで耐久性が優れた吸込具が提供できる。
【００８０】
【発明の効果】
本発明の請求項１記載の発明によれば、駆動風の流量を減少させることで、タービンの回転数を下げたために回転ブラシの回転数も下がり、操作時の騒音値を下げる役目になり、また吸込具が高仕事率の掃除機本体で使用されても、過回転する事を防ぐために回転部品の消耗を防ぐので耐久性も優れるた吸込具が提供できるものである。また、簡単な構成で実施できることから、コストを抑えることが出来るので安価な吸込具が提供できる物である。
【００８１】
本発明の請求項２記載の発明によれば、風量調節板の表面を低摩擦性のものにすることで、吸込口Ｂから侵入する塵埃がスムーズに流れることになる。よって、表面を低摩耗性の材質にする事で、風量調節板に塵埃を付着させないようにする事で駆動風ｋをスムーズに流し、タービンの回転数を安定させた吸込具を提供できるものである。
【００８２】
本発明の請求項３記載の発明によれば、駆動風流路をタービン音が通過するとき、駆動風流路の内部に開口部を持つ吸音室にタービン音が入り込み吸音材にて吸音される。それでもなお通過するタービン音は、吸込口Ｂに至るときに吸込口Ｂ近傍に開口部を持つ吸音室に入り込み、同様に吸音材にて吸音されるため、吸込具使用時の低騒音化を実現した吸込具を提供できるものである。
【００８３】
本発明の請求項４記載の発明によれば、漏洩風分だけ開放時の各流入風が減少したことにより、タービンの回転数を下げられ、回転ブラシの回転数も下がることで操作時の騒音値を下げる役目や、吸込具が高仕事率の掃除機本体で使用されたときに、吸込口Ａと吸込口Ｄを閉塞されたときにタービンが異常回転を起こしても、タービンの破壊や異常な回転部品の消耗を防ぐことで耐久性が優れた吸込具が提供できるものである。
【００８４】
本発明の請求項５記載の発明によれば、集塵風が増大することで吸込具側面および上面からの流入風を強められ、ジェット風と吸塵風の効果がより強力に働き、側面から流入する塵埃を素早くブラシ室中央に送り込み、より塵埃を取り逃がすことがない高集塵性能を実現できる。
【００８５】
更に集塵風が増加した分だけ、開放時の駆動風ｋの流量が減少し、タービンの回転数を下げる事で、回転ブラシの回転数も下がり操作時の騒音値を下げる効果や、吸込具が高仕事率の掃除機本体で使用されたときに、吸込口Ａと吸込口Ｄを閉塞されたときにタービンが異常回転を起こしても、タービンの破壊や異常な回転部品の消耗を防ぐことで耐久性が優れた吸込具が提供できるものである。
【図面の簡単な説明】
【図１】本発明の第１の実施例を示す電気掃除機用吸込具の上面図
【図２】同電気掃除機用吸込具の下面図
【図３】図１のＥ−Ｅ断面図
【図４】同電気掃除機用吸込具の上部材を外した上面図
【図５】図１のＦ−Ｆ断面図
【図６】図１のＧ−Ｇ断面図
【図７】図１のＨ−Ｈ断面図
【図８】（ａ）本発明の第２の実施例を示す電気掃除機用吸込具の中部材の上面図
（ｂ）図８、（ａ）のＪ−Ｊ断面図
【図９】本発明の第３の実施例を示す電気掃除機用吸込具の上部材を外した上面図
【図１０】図９のＰ−Ｐ断面図
【図１１】本発明の第４の実施例を示す電気掃除機用吸込具の上面図
【図１２】同電気掃除機用吸込具の下面図
【図１３】図１１のＭ−Ｍ断面図
【図１４】図１１のＫ−Ｋ断面図
【図１５】同電気掃除機用吸込具の他の実施例を示す一部破断上面図
【図１６】図１５のＮ−Ｎ面図
【図１７】本発明の第５の実施例を示す電気掃除機用吸込具の一部破断上面図
【図１８】同電気掃除機用吸込具の下面図
【図１９】図１７のＬ−Ｌ断面図
【図２０】従来の例を示す電気掃除機用吸込具の上面図
【図２１】同電気掃除機用吸込具の下面図
【図２２】図２０のＡ−Ａ断面図
【図２３】同電気掃除機用吸込具の上部材を外した上面図
【図２４】図２０のＢ−Ｂ断面図
【図２５】図２０のＣ−Ｃ断面図
【図２６】図２０のＤ−Ｄ断面図
【符号の説明】
２９  ブラシ室
３９  タービン室
４０  タービン
４６  吸込口Ｂ
４７  駆動風流路
４９  風量調節手段


【手続補正２】
【補正対象書類名】図面
【補正対象項目名】図２０
【補正方法】変更
【補正の内容】
【図２０】
1998295596.tif 000001